(57)【要約】【課題】硬い切断対象物であっても、破片を飛ばさずに切断対象物を切断することが可能な切断器具を提供する。【解決手段】切断器具（１００）の二つの刃形成領域（１１，２１）の各々の内側縁には刃（１３，２３）が形成されており、二つの刃形成領域（１１，２１）の各々には、内側縁を含む凹部（１１０，１２０）が形成されている。二つの刃形成領域（１１，２１）が相互に整列したときに、二つの凹部（１１０，１２０）も整列する。【選択図】図１
2014180429.tif 000002
【特許請求の範囲】
【請求項１】
二つの刃を噛み合わせることにより、当該二つの刃の間において、切断対象物を切断する切断器具であって、
前記二つの刃の各々は、前記切断器具の内側から外側に向って徐々に厚みが大きくなる二つの刃形成領域の各々の内側縁に直線状に形成されており、
前記二つの刃形成領域の各々には、前記内側縁を含む凹部が少なくとも一つ形成されており、前記二つの刃形成領域が相互に整列したときに、二つの前記凹部も整列することを特徴とする切断器具。
【請求項２】
前記凹部の横断面は半円形をなしており、前記二つの刃形成領域が相互に整列したときに、二つの前記凹部は整列して横断面が円形の凹部を形成することを特徴とする請求項１に記載の切断器具。
【請求項３】
前記凹部の横断面は半長円形をなしており、前記二つの刃形成領域が相互に整列したときに、二つの前記凹部は整列して、横断面が前記内側縁の方向に長軸を有する長円形の凹部を形成することを特徴とする請求項１に記載の切断器具。
【請求項４】
前記凹部は前記刃形成領域の前記内側縁の長手方向中心を含む位置に形成されていることを特徴とする請求項１乃至３の何れか一項に記載の切断器具。
【請求項５】
前記凹部は、前記刃形成領域の前記内側縁の長手方向において、前記内側縁の全長の２５％から７５％の範囲内に形成されていることを特徴とする請求項１乃至３の何れか一項に記載の切断器具。
【請求項６】
前記凹部は前記刃形成領域の厚みの５０％乃至９５％の範囲内にある深さを有していることを特徴とする請求項１乃至５の何れか一項に記載の切断器具。
【請求項７】
前記切断器具はニッパを形成するものであることを特徴とする請求項１乃至６の何れか一項に記載の切断器具。
【発明の詳細な説明】
【技術分野】
【０００１】
本発明はニッパその他の切断器具に関する。
【背景技術】
【０００２】
図５は従来のニッパの平面図、図６は図５のＡ方向から見たニッパの正面図、図７は図５のＢ方向から見たニッパの部分的な側面図である。
【０００３】
図５に示す従来のニッパ５０は第一部材１０と第二部材２０とから構成されている。
【０００４】
第一部材１０は、その一端（図５においては左端）に刃形成領域１１を、他端（図５においては右端）に把手１２を有している。同様に、第二部材２０は、その一端（図５においては左端）に刃形成領域２１を、他端（図５においては右端）に把手２２を有している。
【０００５】
第一部材１０と第二部材２０は回動軸３０を介して相互に回動自在に連結されており、双方の把手１２、２２を相互に開く方向に回動させれば、双方の刃形成領域１１、２１も相互に開き、双方の把手１２、２２を相互に閉じる方向に回動させれば、双方の刃形成領域１１、２１も相互に閉じる。
【０００６】
刃形成領域１１、２１の内側縁には刃１３、２３がそれぞれ形成されており、相互に開いた刃１３、２３の間に切断対象物を挟み、刃１３、２３を相互に閉じることにより、切断対象物を切断することができる。
【０００７】
この種の構造を有するニッパとしては特許文献１及び２に記載されたものがある。
【先行技術文献】
【特許文献】
【０００８】
【特許文献１】特開２００４−１６００４７号公報
【特許文献２】実用新案登録第３１６４０８９号公報
【発明の開示】
【発明が解決しようとする課題】
【０００９】
図６に示すように、第一部材１０の刃形成領域１１及び第二部材２０の刃形成領域２１は何れもニッパ５０の内側から外側に向って徐々に厚みが増しており、さらに、図７に示すように、ニッパ５０の先端から把手１２、２２に向って徐々に厚みが増している。
【００１０】
例えば、プラスチックや樹脂などの比較的硬い切断対象物をニッパ５０で切断する場合、刃形成領域１１、２１が厚い部位において切断対象物を切断すると、切断対象物が切断される瞬間において、二つの刃１３、２３を相互に押し付ける力を緩めることが極めて困難であるため、切断対象物を極めて強い力で切断することになり、切断された破片がニッパ５０からかなりのスピードで飛翔してしまうことがある。
【００１１】
これを防止するためには、刃形成領域１１、２１が薄い部位において切断対象物を切断することが必要であるが、従来のニッパ５０においては、刃形成領域１１、２１が薄い部位は刃形成領域１１、２１の先端部分のみであるため、刃形成領域１１、２１が薄い部位で切断対象物を切断することは極めて困難であるか、あるいは、ほぼ不可能であった。
【００１２】
本発明はこのような従来のニッパにおける問題点に鑑みてなされたものであり、硬い切断対象物であっても、破片を飛ばさずに切断対象物を切断することが可能なニッパその他の切断器具を提供することを目的とする。
【課題を解決するための手段】
【００１３】
上記の目的を達成するため、本発明は、二つの刃を噛み合わせることにより、当該二つの刃の間において、切断対象物を切断する切断器具であって、前記二つの刃の各々は、前記切断器具の内側から外側に向って徐々に厚みが大きくなる二つの刃形成領域の各々の内側縁に直線状に形成されており、前記二つの刃形成領域の各々には、前記内側縁を含む凹部が少なくとも一つ形成されており、前記二つの刃形成領域が相互に整列したときに、二つの前記凹部も整列することを特徴とする切断器具を提供する。
【００１４】
例えば、前記凹部の横断面は半円形をなしており、前記二つの刃形成領域が相互に整列したときに、二つの前記凹部は整列して横断面が円形の凹部を形成する。
【００１５】
あるいは、前記凹部の横断面は半長円形をなしており、前記二つの刃形成領域が相互に整列したときに、二つの前記凹部は整列して、横断面が前記内側縁の方向に長軸を有する長円形の凹部を形成する。
【００１６】
前記凹部は前記刃形成領域の前記内側縁の長手方向中心を含む位置に形成されていることが好ましい。
【００１７】
前記凹部は、前記刃形成領域の前記内側縁の長手方向において、前記内側縁の全長の２５％から７５％の範囲内に形成されていることが好ましい。
【００１８】
前記凹部は前記刃形成領域の厚みの５０％乃至９５％の範囲内にある深さを有していることが好ましい。
【００１９】
本発明に係る切断器具は、例えば、ニッパとして形成することが可能である。
【発明の効果】
【００２０】
凹部が形成されている刃形成領域においては、刃は厚みが極めて薄い刃を形成する。このため、本発明に係る切断器具においては、刃の先端以外の部位において、厚みが極めて薄い刃が形成される。これらの薄い刃は刃の長手方向における凹部の長さに等しい長さを有している。これにより、刃の先端部分では切断することが難しかった硬い切断対象物であっても、薄い刃は切断するのに十分な長さを有しているため、薄い刃の部位において硬い切断対象物を切断することにより、切断後の破片を飛ばすことなく、硬い切断対象物を切断することが可能である。
【００２１】
前述のように、従来のニッパ５０によれば、刃形成領域１１、２１が厚い部位において、硬い切断対象物を切断せざるを得なかったため、切断後の破片が飛ぶことを防止することは極めて困難もしくほぼ不可能であった。
【００２２】
これに対して、本発明に係る切断器具によれば、刃形成領域に凹部を形成することにより、厚みが薄い刃が形成され、これらの薄い刃は切断に十分な長さを有しているため、薄い刃の部位において切断することにより、硬い切断対象物であっても切断後の破片を飛ばすことなく切断することが可能である。
【図面の簡単な説明】
【００２３】
【図１】本発明の第一の実施形態に係るニッパの部分的な平面図である。
【図２】本発明の第一の実施形態に係るニッパの部分的な斜視図である。
【図３】本発明の第二の実施形態に係るニッパの部分的な平面図である。
【図４】本発明の第三の実施形態に係るニッパの部分的な平面図である。
【図５】従来のニッパの平面図である。
【図６】図５のＡ方向から見た、図６に示すニッパの正面図である。
【図７】図５のＢ方向から見た、図６に示すニッパの部分的な側面図である。
【発明を実施するための形態】
【００２４】
（第一の実施形態）
図１は本発明の第一の実施形態に係るニッパ１００の部分的な平面図、図２はニッパ１００の部分的な斜視図である。
【００２５】
本実施形態に係るニッパ１００は刃形成領域の形状が異なる点を除いて図５乃至図７に示したニッパ５０と同様の構造を有している。このため、ニッパ５０の構成要素と同一の構成要素に対しては同一の参照符号を用いる。
【００２６】
本実施形態に係るニッパ１００においては、第一部材１０の刃形成領域１１には凹部１１０が、第二部材２０の刃形成領域２１には凹部１２０がそれぞれ形成されている。
【００２７】
凹部１１０は刃１３の面を直線部分とする半円形の横断面を有しており、全体的には半円柱形状をなしている。
【００２８】
凹部１２０も、凹部１１０と同様に、刃２３の面を直線部分とする半円形の横断面を有しており、全体的には半円柱形状をなしている。
【００２９】
図１に示すように、二つの刃形成領域１１、２１が相互に整列すると、二つの凹部１１０、１２０も相互に整列し、円形の横断面を有する円柱形状の凹部を形成する。
【００３０】
図２に示すように、凹部１２０が形成されている刃形成領域２１においては、刃２３は厚みが極めて薄い刃２３Ａを形成する。同様に、図示しないが、凹部１１０が形成されている刃形成領域１１においては、刃１３は厚みが極めて薄い刃１３Ａを形成する。
【００３１】
このように、本実施形態に係るニッパ１００においては、刃１３、２３の先端以外の部位において、厚みが極めて薄い刃１３Ａ、２３Ａが形成される。これらの薄い刃１３Ａ、２３Ａは所定の長さ、具体的には、凹部１１０、１２０の直径に等しい長さを刃１３、２３の長手方向において有している。
【００３２】
このため、刃１３、２３の先端部分では切断することが難しかった硬い切断対象物であっても、薄い刃１３Ａ、２３Ａは切断するのに十分な長さを有しているため、薄い刃１３Ａ、２３Ａの部位において硬い切断対象物を切断することにより、切断後の破片を飛ばすことなく、硬い切断対象物を切断することが可能である。
【００３３】
前述のように、従来のニッパ５０によれば、刃形成領域１１、２１が厚い部位において、硬い切断対象物を切断せざるを得なかったため、切断後の破片が飛ぶことを防止することは極めて困難もしくほぼ不可能であった。
【００３４】
これに対して、本実施形態に係るニッパ１００によれば、刃形成領域１１、２１に凹部１１０、１２０を形成することにより、厚みが薄い刃１３Ａ、２３Ａが形成される。これらの薄い刃１３Ａ、２３Ａは切断に十分な長さを有しているため、薄い刃１３Ａ、２３Ａの部位において切断することにより、硬い切断対象物であっても切断後の破片を飛ばすことなく切断することが可能である。
【００３５】
本実施形態に係るニッパ１００は上記の構造に限定されるものではなく、種々の改変が可能である。
【００３６】
例えば、本実施形態においては、本発明をニッパ１００に適用した例を示したが、本発明の適用対象はニッパに限定されるものではなく、他の形式の切断器具に対しても適用することが可能である。
【００３７】
また、凹部１１０、１２０を形成する位置は任意であるが、凹部１１０、１２０は刃１３、２３の長手方向における中心を含む位置に形成すること、さらには、凹部１１０、１２０の各中心が刃１３、２３の長手方向における中心と一致するように形成することが好ましい。
【００３８】
凹部１１０、１２０の形成位置をこのように決めることにより、刃形成領域１１、２１における凹部１１０、１２０の位置をバランスよくすることができる。
【００３９】
刃１３、２３の長手方向における凹部１１０、１２０の長さは、刃１３、２３の全長の２５％から７５％の範囲内であることが好ましく、全体のバランスの観点からは、３０％から４０％の範囲が特に好ましい。
【００４０】
また、凹部１１０、１２０の深さは刃形成領域１１、２１の厚みの５０％乃至９５％の範囲内にあることが好ましい。
【００４１】
さらに、薄い刃１３Ａ、２３Ａの厚みは０．３ｍｍ乃至０．７ｍｍの範囲内にあることが好ましい。
【００４２】
（第二の実施形態）
図３は本発明の第二の実施形態に係るニッパ２００の部分的な平面図である。
【００４３】
第一の実施形態に係るニッパ１００においては、凹部１１０、１２０の各々は半円形の横断面を有するものとして形成されているが、本実施形態に係るニッパ２００においては、凹部１１０Ａ、１２０Ａの各々は半長円形の横断面を有するものとして形成されている。
【００４４】
このため、図３に示すように、二つの刃形成領域１１、２１が相互に整列すると、二つの凹部１１０Ａ、１２０Ａも相互に整列し、刃１３、２３の長手方向に長軸を有する長円形状の横断面を有する柱状の凹部を形成する。
【００４５】
本実施形態に係るニッパ２００によっても、第一の実施形態に係るニッパ１００と同様の効果を奏する。
【００４６】
第一及び第二の実施形態から明らかであるように、凹部１１０、１２０または１１０Ａ、１２０Ａの横断面の形状は任意である。薄い刃１３Ａ、２３Ａを形成することが可能な横断面形状である限り、任意の横断面形状を選択することができる。
【００４７】
（第三の実施形態）
図４は本発明の第三の実施形態に係るニッパ３００の部分的な平面図である。
【００４８】
第一の実施形態に係るニッパ１００においては、凹部１１０、１２０はそれぞれ１個ずつ形成されているが、凹部１１０、１２０の数は１には限定されない。
【００４９】
図４に示すように、複数個の凹部１１０、１２０を形成することが可能である。
【００５０】
また、複数個の凹部１１０、１２０を形成する場合、各凹部１１０、１２０の横断面形状を相互に異なるものにすることも可能である。
【００５１】
本実施形態に係るニッパ３００によっても、第一の実施形態に係るニッパ１００と同様の効果を奏する。
【符号の説明】
【００５２】
１００  第一の実施形態に係るニッパ
１１０、１２０  凹部
１１０Ａ、１２０Ａ  凹部
２００  第二の実施形態に係るニッパ
３００  第三の実施形態に係るニッパ
【図１】
2014180429.tif 000003
【図２】
2014180429.tif 000004
【図３】
2014180429.tif 000005
【図４】
2014180429.tif 000006
【図５】
2014180429.tif 000007
【図６】
2014180429.tif 000008
【図７】
2014180429.tif 000009